(57)【要約】【課題】雨線外で使用する強化耐候形の場合や、付加機器を装着する場合などの比較的大型の端子カバーを具備する配電機器において、物流、保管、計器取付け・取外しの各運用における取り扱いを容易にし、運用コストを低減する。【解決手段】計器２および端子部３と、端子部３を計器２の使用状態において覆う端子カバー４とを有する配電機器において、端子カバー４の内部空間の大きさを、物流・保管状態にするために計器２および端子部３の少なくとも計器２を収容可能な大きさとしている。【選択図】図２
2011022056.tif 000002
【特許請求の範囲】
【請求項１】
計器および端子部と、
前記端子部を計器の使用状態において覆う端子カバーとを有する配電機器において、
前記端子カバーの内部空間の大きさを、物流・保管状態にするために前記計器および端子部の少なくとも計器を収容可能な大きさとしたことを特徴とする配電機器。
【請求項２】
前記計器および端子部の少なくとも計器を前記端子カバーの内部空間に収容して物流・保管状態にする際に前記計器と前記端子カバーを結合する結合手段を、前記計器と前記端子カバーはそれぞれ有することを特徴とする請求項１に記載の配電機器。
【請求項３】
前記端子カバーは、付加機器を支持する支持手段を有することを特徴とする請求項１または２に記載の配電機器。
【請求項４】
物流・保管状態では、前記端子カバーの正面側が前記計器の正面側を覆うことを特徴とする請求項１ないし３のいずれかに記載の配電機器。
【発明の詳細な説明】
【技術分野】
【０００１】
本発明は、雨線外で使用する強化耐候形の場合や、付加機器を装着する場合などの比較的大型の端子カバーを具備する電子式を含む電力量計、タイムスイッチなどの配電機器に関するものである。
【背景技術】
【０００２】
電子式電力量計の外観は、図１３ないし図１５に示されるように、計量値を表示する表示部２１を含む計器２２、電線を接続する端子部２３、端子部２３を覆う端子カバー２４より構成されている。端子カバー２４は、雨線内や計器箱内、すなわち雨のかからない場所で使用する普通耐候仕様と、雨線外、すなわち雨が直接かかる場所で使用する強化耐候仕様のものがある。
【０００３】
雨線外で使用する強化耐候形の端子カバー２４は、端子部２３の電線接続部分を完全に覆い、風雨にさらされても機能に支障をきたさない構造になっているため、普通耐候形の端子カバーより大きい。したがって、端子カバー２４を端子部２３に取り付けた状態では、物流、保管、計器取付け・取外しの各運用において変形等の損傷を受けること、および全体寸法が大きくなることにより、分離して取り扱うことになる。このため、保管においては両者のスペースが必要であり、紛失の可能性もある。
【０００４】
また、端子カバー内に付加機器を装着するものが特許文献１に示されているが、このような場合には図１３の取付け状態での寸法Ａ１がさらに大形化することも考えられる。
【先行技術文献】
【特許文献】
【０００５】
【特許文献１】特開２００４−７７１５７号公報
【発明の概要】
【発明が解決しようとする課題】
【０００６】
特に電子式電力量計は、電子部品の小形・高機能化に伴い小形軽量化が進展し、外装・内装の構造物も小形化やプラスチック化がより容易になった。一方、電力量計の端子部２３は電線を接続するため、絶縁距離確保という安全性、作業性の面からは小形化は難しい。このため、端子部２３を保護するための端子カバー２４も小形化は難しく、各運用は従来のままとなる。
【０００７】
（発明の目的）
本発明の目的は、雨線外で使用する強化耐候形の場合や、付加機器を装着する場合などの比較的大型の端子カバーを具備する配電機器において、物流、保管、計器取付け・取外しの各運用における取り扱いを容易にし、運用コストを低減することである。
【課題を解決するための手段】
【０００８】
上記目的を達成するために、本発明の配電機器は、計器および端子部と、前記端子部を計器の使用状態において覆う端子カバーとを有する配電機器において、前記端子カバーの内部空間の大きさを、物流・保管状態にするために前記計器および端子部の少なくとも計器を収容可能な大きさとしたことを特徴とするものである。
【発明の効果】
【０００９】
本発明によれば、雨線外で使用する強化耐候形の場合や、付加機器を装着する場合などの比較的大型の端子カバーを具備する配電機器において、物流、保管、計器取付け・取外しの各運用における取り扱いを容易にし、運用コストを低減することができる。
【００１０】
また、計器と端子カバーを１個として扱えるので、管理を容易にすることができる。さらに、占有面積・体積を最小にでき、また、表裏両面の形状により数段に重ねることが可能になる。
【図面の簡単な説明】
【００１１】
【図１】本発明の実施例１である電子式電力量計を示す図である。
【図２】実施例１の物流・保管状態を示す図である。
【図３】実施例２を示す分解斜視図である。
【図４】実施例２の使用状態を示す斜視図である。
【図５】実施例２の物流・保管状態に結合される前の状態を示す分解斜視図である。
【図６】実施例２の物流・保管状態を示す斜視図である。
【図７】実施例２の付加機器を収容する状態を示す分解斜視図である。
【図８】実施例３を示す分解斜視図である。
【図９】実施例３の使用状態を示す斜視図である。
【図１０】実施例３の物流・保管状態に結合される前の状態を示す分解斜視図である。
【図１１】実施例３の物流・保管状態を示す斜視図である。
【図１２】実施例３の付加機器を収容する状態を示す分解斜視図である。
【図１３】現行計器の電子式電力量計を示す図である。
【図１４】現行計器を示す分解斜視図である。
【図１５】現行計器の使用状態を示す斜視図である。
【発明を実施するための形態】
【００１２】
本発明を実施するための形態は、以下の実施例１ないし３に示す通りである。
【実施例１】
【００１３】
図１は本発明の実施例１である電子式電力量計の正面図および側面図である。正面側に表示部１を有する計器２は、電子部品の進展等により、現行より小形化されている。電線を接続する端子部３は、計器２に固定されている。端子部３を覆う端子カバー４は、計器２の大きさとの関連上、現行より大形になっているが、総寸法Ａ２は現行の寸法Ａ１より小さくなっている。端子カバー４は不図示の端子カバーねじにより端子部３に着脱可能に取り付けられる。端子カバー４は、その正面、両側面、電線が通る開口を除く底面で閉じられており、背面で開いている。上面は閉じている場合と、開いている場合がある。図１は電子式電力量計の使用状態を示しているが、物流、保管、計器取付け・取外しの各運用では、端子カバー４は端子部３から取り外されている。なお、計器２のケース、端子部３の端子金具を保持する端子ブロック、端子カバー４は、プラスチック製である。
【００１４】
図２は実施例１の物流・保管状態の正面図および側面図である。端子カバー４の内部空間の大きさは、その内部空間に計器２および端子部３を収容できる大きさになっている。したがって、計器２および端子部３を上下逆向きにし、その正面側を端子カバー４の背面側から嵌め込むことにより図２に示されるように計器２および端子部３のほとんどが端子カバー４の内部空間に収容される。この状態での総寸法は端子カバー４の寸法Ａ３となり、総寸法Ａ２よりさらに小さくなる。そのため、一体としてまとまりが良くなり、物流・保管に適しており、振動や衝撃にも強い形態となっている。また、表示部１の表面（表示窓）がプラスチックの場合には、出荷以降の物流、保管、取付現場までの工程で、機械的、熱的にキズや汚れがつき易いが、本発明によれば、表示部１の表面を端子カバー４で保護することができる。また、保管中の埃の堆積等による透過性劣化が発生し易いが、このような品質劣化から保護される。なお、端子カバー４の内部空間の大きさは、計器２のみを収容できる大きさであっても良い。
【実施例２】
【００１５】
実施例２は端子カバー４に比較的大きな付加機器を収容することが可能な実施例である。図３はその分解斜視図である。端子カバー４は、端子カバー枠体４ａと、端子カバー枠体４ａにねじなどで着脱可能に取り付けられる端子カバー蓋体４ｂとからなる。端子カバー枠体４ａの上面は閉じている。端子カバー枠体４ａは端子カバーねじにより端子部３に着脱可能に取り付けられる。端子カバー枠体４ａには、比較的大きな付加機器（後述）を支持するための支持板４ｃおよび支持部材４ｄが設けられている。端子部３を端子カバー４ａ，４ｂで覆ったときには、端子部３の前面に支持板４ｃが位置することになる。
【００１６】
計器２の背面角部には凹部５が設けられ、端子カバー枠体４ａには凹部５に弾性変形結合する凸部６が設けられている。端子カバー枠体４ａの底面には電線が通る開口７が設けられている。
【００１７】
図４は計器２および端子部３に端子カバー４（端子カバー枠体４ａと端子カバー蓋体４ｂ）が使用状態に組み付けられた状態を示す。
【００１８】
図４の状態から物流・保管に適した状態にするためには、計器２および端子部３と端子カバー枠体４ａおよび端子カバー蓋体４ｂとを分離し、図５に示されるように計器２および端子部３を上下逆向きにする。そして、図６に示されるように計器２および端子部３の正面側に端子カバー枠体４ａおよび端子カバー蓋体４ｂを被せると、計器２の凹部５と端子カバー枠体４ａの凸部６が弾性変形により結合される。図６の物流・保管状態では、端子部３は支持板４ｃに面して位置する。
【００１９】
図７は実施例２の端子カバー４に比較的大きな付加機器８を収容する様子を示す図である。付加機器８は支持板４ｃおよび支持部材４ｄの上に支持され、端子カバー４の内部空間に収容される。場合によっては、ねじなどの固定部材によって着脱可能に固定される。その後、端子カバー蓋体４ｂが被せられ、端子カバー枠体４ａに着脱可能に固定される。
【実施例３】
【００２０】
実施例３は端子カバー４に比較的小さな付加機器を収容することが可能な実施例である。図８はその分解斜視図である。端子カバー４は、実施例２のものとは異なり、端子カバー蓋体４ｂを有してはおらず、正面が閉じていて、上面が開いている。また、端子カバー４は支持板４ｃおよび支持部材４ｄを有してはいない。このため、実施例２と比べると、部品点数が減少する。また、実施例２と同様に、計器２に凹部５が設けられ、端子カバー４に凸部６および開口７が設けられている。計器２の底部で、端子部３の上部前方には、比較的小さな付加機器の一部が収容される収容空間９が設けられている。なお、収容空間９は無くてもよい。
【００２１】
図９は計器２および端子部３に端子カバー４が使用状態に組み付けられた状態を示す。
【００２２】
図９の状態から物流・保管に適した状態にするためには、計器２および端子部３と端子カバー４とを分離し、図１０に示されるように計器２および端子部３を上下逆向きにする。そして、図１１に示されるように計器２および端子部３の正面側に端子カバー４を被せると、計器２の凹部５と端子カバー４の凸部６が弾性変形により結合される。
【００２３】
図１２は実施例３の端子カバー４に比較的小さな付加機器１０を収容する様子を示す図である。付加機器１０の一部は計器２の収容空間９に、残りの大部分は端子カバー４の内部空間に、それぞれ収容される。なお、付加機器１０は比較的小さいので、例えばコネクタなどにより端子部３に直接取り付けることが可能である。
【００２４】
実施例１ないし３においては、計器２および端子部３の少なくとも計器２を端子カバー４の内部空間に収容したときに、端子カバー４が計器２の表示部１を覆うように計器２に結合しているが、計器２の正面側を保護する必要が無い場合には、計器２の背面側を端子カバー４が覆うように結合しても良い。
【００２５】
（本発明と実施例の対応）
凹部５および凸部６が本発明の結合手段に、支持板４ｃおよび支持部材４ｄが支持手段に、それぞれ相当する。
【符号の説明】
【００２６】
１        表示部
２        計器
３        端子部
４        端子カバー
４ａ      端子カバー枠体
４ｂ      端子カバー蓋体
４ｃ      支持板
４ｄ      支持部材
５        凹部
６        凸部
８，１０  付加機器
【図１】
2011022056.tif 000003
【図２】
2011022056.tif 000004
【図３】
2011022056.tif 000005
【図４】
2011022056.tif 000006
【図５】
2011022056.tif 000007
【図６】
2011022056.tif 000008
【図７】
2011022056.tif 000009
【図８】
2011022056.tif 000010
【図９】
2011022056.tif 000011
【図１０】
2011022056.tif 000012
【図１１】
2011022056.tif 000013
【図１２】
2011022056.tif 000014
【図１３】
2011022056.tif 000015
【図１４】
2011022056.tif 000016
【図１５】
2011022056.tif 000017